(57)【要約】【課題】設備のメンテナンス性を向上する。【解決手段】第一空間１１の前側に配置されて背壁４と対向する前板２６と、第一空間１１と第二空間１２との間に配置されて第一横壁５と対向する第一仕切板２２と、第一空間１１の上側に配置される第一天板３０と、前板２６及び第一仕切板２２の少なくとも一方に対して第一天板３０を着脱可能に保持する保持部材４０と、前板２６又は第一仕切板２２の外側から、前板２６及び第一仕切板２２の少なくとも他方に対して第一天板３０をネジ５４により連結する締結部材５０と、を備える。【選択図】図９
2020049173.tif 000002
【特許請求の範囲】
【請求項１】
少なくとも第一壁と前記第一壁に隣接する第二壁とに設置されて、第一空間と、前記第一空間の前記第二壁とは反対側に隣り合う第二空間と、を形成する収納構造であって、
前記第一空間の前側に配置されて前記第一壁と対向する前板と、
前記第一空間と前記第二空間との間に配置されて前記第二壁と対向する仕切板と、
前記第一空間の上側に配置される第一天板と、
前記前板及び前記仕切板の少なくとも一方に対して前記第一天板を着脱可能に保持する保持部材と、
前記前板又は前記仕切板の外側から、前記前板及び前記仕切板の少なくとも他方に対して前記第一天板をネジにより連結する締結部材と、を備える、
収納構造。
【請求項２】
前記保持部材は、嵌合又は磁力により、前記前板及び前記仕切板の少なくとも一方に対して前記第一天板を着脱可能に保持する、
請求項１に記載の収納構造。
【請求項３】
前記第二空間の上側に配置されて前記第二空間を開閉可能に取り付けられる第二天板を更に備える、
請求項１又は２に記載の収納構造。
【請求項４】
前記第二空間の下側に配置されて、前記第二空間の下側に前記第一空間と隣り合う第三空間を形成する横板を更に備え、
前記仕切板は、前記第一空間と前記第三空間とを連通する仕切板開口を有し、
前記横板は、前記第二空間と前記第三空間とを連通する横板開口と、前記横板開口を覆う開口蓋と、を有する、
請求項１〜３の何れか一項に記載の収納構造。
【請求項５】
前記締結部材は、前記第一天板に固定されるＬ字金具と、前記Ｌ字金具を前記前板及び前記仕切板の少なくとも一方に締結するネジと、を有し、
前記Ｌ字金具は、前記前板又は前記仕切板の外側において、前記ネジにより前記前板及び前記仕切板の少なくとも一方に締結される、
請求項１〜４の何れか一項に記載の収納構造。
【請求項６】
前記締結部材は、前記前板及び前記仕切板の少なくとも一方に固定されるＬ字金具と、前記Ｌ字金具を前記第一天板に締結するネジと、を有し、
前記Ｌ字金具は、前記前板又は前記仕切板の外側において、前記ネジにより前記第一天板に締結される、
請求項１〜４の何れか一項に記載の収納構造。
【請求項７】
前記保持部材は、前記前板及び前記第一壁に対して前記第一天板を着脱可能に保持し、
前記締結部材は、前記仕切板に対して前記第一天板をネジにより連結する、
請求項１〜６の何れか一項に記載の収納構造。
【請求項８】
前記第一壁に取り付けられる第一板部材を更に備え、
前記保持部材は、前記第一板部材を介して、前記第一壁に対して前記第一天板を着脱可能に保持する、
請求項７に記載の収納構造。
【請求項９】
前記保持部材の少なくとも一つは、前記仕切板と前記第二壁との間の中央位置よりも前記第二壁側に配置される、
請求項７又は８に記載の収納構造。
【請求項１０】
前記締結部材の少なくとも一つは、前記前板と前記第一壁との間の中央位置よりも前記前板側に配置される、
請求項７〜９の何れか一項に記載の収納構造。
【発明の詳細な説明】
【技術分野】
【０００１】
本発明は、トイレ等の空間に設置される収納構造に関する。
【背景技術】
【０００２】
特許文献１には、トイレ等の空間に設置する収納構造として、使用者が使う収納空間の他に、配管や通気弁等の設備を収納する設備空間を形成するものがある。この収納構造では、設備のメンテナンス性の観点から、設備空間の前側に配置される設備空間用前板が着脱可能となっており、設備空間用前板を取り外すことで、設備空間に配置された設備をメンテナンスすることが可能となっている。
【先行技術文献】
【特許文献】
【０００３】
【特許文献１】特開平０７−２６５１３７号公報
【発明の概要】
【発明が解決しようとする課題】
【０００４】
しかしながら、上述した収納構造は、便器により設備空間用前板の開閉が阻害されるため、必ずしも設備のメンテナンス性が良いとは言えなかった。
【０００５】
ここで、上述した収納構造において、設備空間の上側に配置される設備空間用天板を取り外すことで、設備空間に配置された設備をメンテナンスすることも考えられる。この場合、設備空間用天板は上方に取り外されるため、便器により設備空間用天板の開閉が阻害されることはない。しかしながら、上述した収納構造では、設備空間用天板が設備空間側からビス止めされているため、設備空間に配置された設備をメンテナンスするためには、設備空間用前板も取り外す必要がある。そこで、設備空間用天板をヒンジにより開閉できるものとすることも考えられる。しかしながら、この場合、トイレの使用者等の設備をメンテナンスしない者に対しても、設備空間用天板も開閉できるとの認識を与えてしまい、設備空間用天板がむやみに開閉される可能性がある。しかも、収納空間用天板を開けようとして、間違って設備空間用天板を開けてしまう可能性もある。
【０００６】
そこで、本発明は、設備のメンテナンス性を向上することができる収納構造を提供することを課題とする。
【課題を解決するための手段】
【０００７】
本発明に係る収納構造は、少なくとも第一壁と第一壁に隣接する第二壁とに設置されて、第一空間と、第一空間の第二壁とは反対側に隣り合う第二空間と、を形成する収納構造であって、第一空間の前側に配置されて第一壁と対向する前板と、第一空間と第二空間との間に配置されて第二壁と対向する仕切板と、第一空間の上側に配置される第一天板と、前板及び仕切板の少なくとも一方に対して第一天板を着脱可能に保持する保持部材と、前板又は仕切板の外側から、前板及び仕切板の少なくとも他方に対して第一天板をネジにより連結する締結部材と、を備える。
【０００８】
この収納構造では、第一天板は、締結部材により前板及び仕切板の少なくとも他方に対して連結される。このため、トイレの使用者等の設備をメンテナンスしない者に対して、第一天板は開閉できないとの認識を与えることができるとともに、誤って第一天板を開けるのを抑制することができる。そして、締結部材は、前板又は仕切板の外側から、前板及び仕切板の少なくとも他方に対して第一天板をネジにより連結する。このため、第一空間の第二壁側及び第一壁側に作業スペースを確保できない場合であっても、容易に締結部材による連結を解除して第一天板を取り外すことができる。これにより、設備のメンテナンス性を向上することができる。しかも、第一天板は、保持部材により前板及び仕切板の少なくとも一方に対して着脱可能に保持される。このため、締結部材を配置できない場所においても、第一天板を保持することができるとともに、締結部材による連結を解除した際に第一天板を容易に取り外すことができる。
【０００９】
保持部材は、嵌合又は磁力により、前板及び仕切板の少なくとも一方に対して第一天板を着脱可能に保持してもよい。この収納構造では、保持部材が、嵌合又は磁力により、前板及び仕切板の少なくとも一方に対して第一天板を保持するため、前板及び仕切板の少なくとも一方に対して第一天板を容易に着脱することができる。
【００１０】
第二空間の上側に配置されて第二空間を開閉可能に取り付けられる第二天板を更に備えてもよい。この収納構造では、仕切板を挟んで第一空間と隣り合う第二空間の上側に、第二空間を開閉可能に取り付けられた第二天板が配置されている。このため、例えば、締結部材が、仕切板の外側からネジにより連結するものである場合に、当該ネジを第二天板で隠すことができる。これにより、収納構造の意匠性を向上させることができる。
【００１１】
第二空間の下側に配置されて、第二空間の下側に第一空間と隣り合う第三空間を形成する横板を更に備え、仕切板は、第一空間と第三空間とを連通する仕切板開口を有し、横板は、第二空間と第三空間とを連通する横板開口と、横板開口を覆う開口蓋と、を有してもよい。この収納構造では、開口蓋を外せば、第二空間が、横板開口、第三空間、及び仕切板開口を通って第一空間と連通する。このため、設備のメンテナンス性が更に向上する。
【００１２】
締結部材は、第一天板に固定されるＬ字金具と、Ｌ字金具を前板及び仕切板の少なくとも一方に締結するネジと、を有し、Ｌ字金具は、前板又は仕切板の外側において、ネジにより前板及び仕切板の少なくとも一方に締結されてもよい。この収納構造では、第一天板に固定されるＬ字金具が、前板又は仕切板の外側において、ネジにより前板及び仕切板の少なくとも一方に締結されるため、容易に締結部材による連結及び連結の解除を行うことができる。
【００１３】
締結部材は、前板及び仕切板の少なくとも一方に固定されるＬ字金具と、Ｌ字金具を第一天板に締結するネジと、を有し、Ｌ字金具は、前板又は仕切板の外側において、ネジにより第一天板に締結されてもよい。この収納構造では、前板及び仕切板の少なくとも一方に固定されたＬ字金具が、前板又は仕切板の外側において、ネジにより第一天板に締結されるため、容易に締結部材による連結及び連結の解除を行うことができる。
【００１４】
保持部材は、前板及び第一壁に対して第一天板を着脱可能に保持し、締結部材は、仕切板に対して第一天板をネジにより連結してもよい。この収納構造では、前板及び第一壁に対して第一天板を着脱可能に保持し、仕切板に対して第一天板をネジにより連結することで、仕切板側から第一天板の着脱を行うことができる。例えば、第二空間の上側に第二天板が配置される場合は、第二天板により、締結部材を隠すことができる。
【００１５】
第一壁に取り付けられる第一板部材を更に備え、保持部材は、第一板部材を介して、第一壁に対して第一天板を着脱可能に保持してもよい。この収納構造では、保持部材が第一板部材を介して第一壁に対して第一天板を着脱可能に保持するため、第一壁に対する保持部材の取り付けを容易に行うことができる。
【００１６】
保持部材の少なくとも一つは、仕切板と第二壁との間の中央位置よりも第二壁側に配置されてもよい。この収納構造では、保持部材の少なくとも一つが、仕切板と第二壁との間の中央位置よりも第二壁側に配置されるため、第一天板をバランスよく保持することができる。
【００１７】
締結部材の少なくとも一つは、前板と第一壁との間の中央位置よりも前板側に配置されてもよい。収納構造は第一壁と第二壁とに設置されるため、メンテナンスしない者が誤って第一天板を開けようとする場合、この者は、第一壁及び第二壁から遠い位置において、第一天板を持ち上げようとする。そこで、締結部材が仕切板に対して第一天板をネジにより連結する収納構造では、締結部材の少なくとも一つが、前板と第一壁との間の中央位置よりも前板側に配置されるため、この者が誤って第一天板を開けようとしても、第一天板が開くのを適切に抑制することができる。
【発明の効果】
【００１８】
本発明によれば、設備のメンテナンス性を向上することができる。
【図面の簡単な説明】
【００１９】
【図１】実施形態に係る収納構造が設置されたトイレ空間を示す斜視図である。
【図２】実施形態に係る収納構造が設置されたトイレ空間を示す横断面図である。
【図３】第一実施形態に係る収納構造を示す平面図である。
【図４】第一実施形態に係る収納構造を示す正面図である。
【図５】図３に示すＶ−Ｖ線における断面図である。
【図６】第一実施形態に係る収納構造において、扉が開いた状態を示す斜視図である。
【図７】第一実施形態に係る収納構造において、天板を取り外した状態を示す斜視図である。
【図８】第一実施形態に係る収納構造において、天板を取り外した状態を示す平面図である。
【図９】（ａ）は、図３に示すＩＸａ−ＩＸａ線における断面図であり、（ｂ）は、図３に示すＩＸｂ−ＩＸｂ線における断面図である。
【図１０】（ａ）は保持部の正面図、（ｂ）は被保持部の正面図、（ｃ）保持部と被保持部とが嵌合した状態を示す保持部材の正面図である。
【図１１】第一天板と前板との連結部分を拡大した断面図である。
【図１２】（ａ）〜（ｃ）は、Ｌ字金具の一例を示す斜視図である。
【図１３】第二実施形態に係る収納構造において、天板を取り外した状態を示す平面図である。
【図１４】（ａ）は、図３に示すＸＩＶａ−ＸＩＶａ線における断面図であり、（ｂ）は、図３に示すＸＩＶｂ−ＸＩＶｂ線における断面図である。
【図１５】第一天板と前板との連結部分を拡大した断面図である。
【発明を実施するための形態】
【００２０】
以下、図面を参照して、実施形態の収納構造について詳細に説明する。本実施形態は、本発明に係る収納構造を、トイレ空間に設置される収納構造に適用したものである。但し、本発明は、トイレ空間に設置される収納構造に限定されるものではなく、様々な空間に設置されるものである。なお、全図中、同一または相当部分には同一符号を付し、重複する説明を省略する。
【００２１】
［第一実施形態］
図１及び図２に示すように、本実施形態に係る収納構造１は、便器２が設置されるトイレ空間３に設置されるものである。トイレ空間３は、背壁４、対向する第一横壁５及び第二横壁６、床７、ドア（不図示）等により囲まれる空間である。背壁４は、便器２の後方に配置される壁（第一壁）である。第一横壁５は、背壁４の一方側（本実施形態では左側）に隣接する壁（第二壁）であり、便器２の一方側（本実施形態では左側）の側方に配置されている。第二横壁６は、背壁４の他方側（本実施形態では右側）に隣接する壁であり、便器２の他方側（本実施形態では右側）の側方に配置されている。床７は、背壁４、第一横壁５及び第二横壁６の下側に隣接して、便器２が設置される設置面である。背壁４、第一横壁５、及び第二横壁６は、互いに直角に隣接しているが、その隣接角度は必ずしも直角でなくてもよい。以下の説明において、第一横壁５と第二横壁６の対向方向を、横方向ともいい、背壁４に対する便器２側の方向を、前方向ともいう。
【００２２】
図３〜図６に示すように、本実施形態に係る収納構造１は、トイレ空間３の背壁４、第一横壁５、第二横壁６、及び床７に設置されるものである。なお、背壁４、第一横壁５、第二横壁６、及び床７に設置されるとは、必ずしも、背壁４、第一横壁５、第二横壁６、及び床７に固定されていることのみを意味するものではなく、背壁４、第一横壁５、第二横壁６、及び床７に当接又は近接した状態に配置されることも意味する。
【００２３】
収納構造１は、第一空間１１と、第二空間１２と、第三空間１３と、第四空間１４と、を形成する。第一空間１１は、収納構造１における、第一横壁５側及び背壁４側の隅部に形成される空間であって、配管や通気弁等の設備８を収納する設備空間である。第二空間１２は、第一空間１１の第一横壁５とは反対側（第二横壁６側）に隣り合う空間であって、例えば、トイレットペーパー、掃除用具等の備品を収納するための収納空間として利用される。第三空間１３は、第二空間１２の下側（床７側）に隣り合うとともに第一空間１１の第一横壁５とは反対側（第二横壁６側）に隣り合う空間であって、便器２の後方に配置される空間である。第四空間１４は、第二空間１２の下側（床７側）に隣り合うとともに第三空間１３の第一横壁５とは反対側（第二横壁６側）に隣り合う空間であって、例えば、トイレットペーパー、掃除用具等の備品を収納するための収納空間として利用される。
【００２４】
収納構造１は、背板２１と、第一仕切板２２と、横板２３と、第二仕切板２４と、側板２５と、前板２６と、前扉２７と、第一板部材２８と、第二板部材２９と、第一天板３０と、第二天板３１と、を備える。
【００２５】
背板２１は、第二空間１２、第三空間１３、及び第四空間１４の後側（背壁４側）に配置されて、背壁４に取り付けられる板状部材である。背板２１は、左右方向（図４及び図５における左右方向）かつ上下方向（図４及び図５における上下方向）に延びている。背壁４に対する背板２１の取り付けは、例えば、ビス止め、接着等により行われる。
【００２６】
第一仕切板２２は、第一空間１１と第二空間１２及び第三空間１３との間に配置されて、第一空間１１と第二空間１２及び第三空間１３とを左右に仕切る板状部材である。第一仕切板２２は、前後方向（図３における上下方向）かつ上下方向（図４及び図５における上下方向）に延びて、第一横壁５及び第二横壁６と対向している。
【００２７】
第一仕切板２２には、第一空間１１と第三空間１３とを連通する仕切板開口２２Ａが形成されている。仕切板開口２２Ａは、第一仕切板２２における、第一空間１１と第三空間１３との間の全ての領域を開口するものであってもよく、第一空間１１と第三空間１３との間の一部の領域のみを開口するものであってもよい。
【００２８】
横板２３は、第二空間１２と第三空間１３及び第四空間１４との間に配置されて、第二空間１２と第三空間１３及び第四空間１４とを上下に仕切る板状部材である。つまり、横板２３は、第二空間１２の下側に配置されて、第二空間１２の下側に第一空間１１と隣り合う第三空間１３を形成する。横板２３は、前後方向（図３における上下方向）かつ左右方向（図４及び図５における左右方向）に延びて、床７と対向している。
【００２９】
横板２３には、第二空間１２と第三空間１３とを連通する横板開口２３Ａが形成されている。横板開口２３Ａは、第二空間１２と第三空間１３との間の全ての領域を開口するものであってもよく、第二空間１２と第三空間１３との間の一部の領域のみを開口するものであってもよい。
【００３０】
横板２３には、横板開口２３Ａを覆う開口蓋２３Ｂが設けられている。開口蓋２３Ｂは、横板開口２３Ａを覆うことで、第二空間１２から第三空間１３を隠す蓋である。開口蓋２３Ｂは、例えば、横板２３に対して載置されるだけのものであってもよく、横板２３等に対して着脱可能に嵌合されるものであってもよい。開口蓋２３Ｂは、横板開口２３Ａを覆うことができれば、如何なる形状であってもよい。
【００３１】
第二仕切板２４は、第三空間１３と第四空間１４との間に配置されて、第三空間１３と第四空間１４とを左右に仕切る板状部材である。第二仕切板２４は、第一仕切板２２と同様に、前後方向（図３における上下方向）かつ上下方向（図４及び図５における上下方向）に延びて、第一横壁５及び第二横壁６と対向している。
【００３２】
側板２５は、第二空間１２、及び第四空間１４の第二横壁６側（第一横壁５とは反対側）に配置されて、第二横壁６に取り付けられる板状部材である。側板２５は、前後方向（図３における上下方向）かつ上下方向（図４及び図５における上下方向）に延びて、第一横壁５及び第二横壁６と対向している。第二横壁６に対する側板２５の取り付けは、例えば、ビス止め、接着等により行われる。
【００３３】
前板２６は、第一空間１１、第二空間１２の一部、第三空間１３、及び第四空間１４の一部の前側（背壁４と反対側）に配置されて、第一空間１１、第二空間１２の一部、第三空間１３、及び第四空間１４の一部を前方から塞ぐ板状部材である。前板２６は、左右方向（図３、図４及び図５における左右方向）かつ上下方向（図４及び図５における上下方向）に延びて、背壁４と対向している。
【００３４】
前扉２７は、第二空間１２の一部、及び第四空間１４の一部の前側（背壁４と反対側）に配置されて、第二空間１２の一部、及び第四空間１４の一部を前方から塞ぐ板状部材である。前扉２７は、前板２６と隣り合うように並列されており、左右方向（図３、図４及び図５における左右方向）かつ上下方向（図４及び図５における上下方向）に延びて、背壁４と対向している。そして、前扉２７は、ヒンジ（不図示）により、側板２５に対して揺動可能に連結されている。このため、前扉２７は、ヒンジを回転軸として揺動することで、前板２６側から、第二空間１２及び第四空間１４を開閉することが可能となっている。
【００３５】
第一板部材２８は、第一空間１１の後側（背壁４側）に配置されて、背壁４に取り付けられる板状部材である。第一板部材２８は、左右方向（図４及び図５における左右方向）かつ上下方向（図４及び図５における上下方向）に延びている。第一板部材２８の上端面は、第一仕切板２２及び前板２６の上端面と略面一となっている。背壁４に対する第一板部材２８の取り付けは、例えば、ビス止め、接着等により行われる。
【００３６】
第二板部材２９は、第一空間１１の第一横壁５側に配置されて、第一横壁５に取り付けられる板状部材である。第二板部材２９は、前後方向（図３における上下方向）かつ上下方向（図４及び図５における上下方向）に延びており、その上端面は、第一仕切板２２及び前板２６の上端面と略面一となっている。第一横壁５に対する第二板部材２９の取り付けは、例えば、ビス止め、接着等により行われる。
【００３７】
第一板部材２８及び第二板部材２９は、第一空間１１の上下方向における全域に配置されていてもよく、第一空間１１の上下方向における一部にのみ配置されていてもよい。後者の場合、第一板部材２８及び第二板部材２９は、細長い板状部材により構成することができる。なお、第一板部材２８及び第二板部材２９は、第一仕切板２２及び前板２６とともに矩形枠状に形成されていていることで、剛性が高まる。
【００３８】
第一天板３０は、第一空間１１の上側（床７と反対側）に配置されて、第一空間１１を上方から塞ぐ板状部材である。第一天板３０は、前後方向（図３における上下方向）かつ左右方向（図３、図４及び図５における左右方向）に延びて、床７と対向している。第一天板３０の詳細については、後述する。
【００３９】
第二天板３１は、第二空間１２の上側（床７と反対側）に配置されて、第二空間１２を上方から塞ぐ板状部材である。第一天板３０は、前後方向（図３における上下方向）かつ左右方向（図３、図４及び図５における左右方向）に延びて、床７と対向している。また、第二天板３１は、側板２５の上端面、前板２６の上端面、及び前扉２７の上端面と対向しており、バンポン等の緩衝部材（不図示）を介して、側板２５の上端面、前板２６の上端面、及び前扉２７の上端面に突き当てられている。このため、第二天板と側板２５、前板２６、及び前扉２７との間には、緩衝部材の厚み分の隙間が形成されている。なお、バンポン等の緩衝部材は、第二天板３１に取り付けられていてもよく、側板２５の上端面、前板２６の上端面、及び前扉２７の上端面に取り付けられていてもよい。また、第二天板３１と前扉２７との間に緩衝部材を配置せずに、第二天板３１と前扉２７とが突き当てられないようにしてもよい。そして、第二天板３１は、ヒンジ（不図示）により、背板２１に対して揺動可能に連結されている。このため、第二天板３１は、ヒンジを回転軸として揺動することで、前板２６側から、第二空間１２を開閉することが可能となっている。
【００４０】
図７〜図９に示すように、収納構造１は、保持部材４０と、締結部材５０と、を備える。
【００４１】
保持部材４０は、前板２６及び背壁４に対して第一天板３０を着脱可能に保持する部材である。保持部材４０の保持力は、嵌合、磁力等により得ることができ、本実施形態では、嵌合により得るものとして説明する。
【００４２】
図１０に示すように、保持部材４０は、例えば、保持部４１と、被保持部４２と、により構成される。保持部４１は、基部４１ａと、基部４１ａに保持されて略Ｖ字型に形成された板バネ４１ｂと、板バネ４１ｂの両端に回転自在に保持された一対のローラ４１ｃと、により構成される。被保持部４２は、基部４２ａと、基部４２ａから突出する突出部４２ｂと、突出部４２ｂの先端において拡幅する拡幅部４２ｃと、により構成される。保持部材４０は、被保持部４２の拡幅部４２ｃを保持部４１の一対のローラ４１ｃの間に押し込み、一対のローラ４１ｃで拡幅部４２ｃ及び突出部４２ｂを狭持させることで、保持部４１により被保持部４２を保持することが可能となっている。
【００４３】
そして、図７〜図９に示すように、前板２６の第一空間１１側の面と、背壁４に取り付けられた第一板部材２８の第一空間１１側の面とに、それぞれ保持部４１の基部４１ａが取り付けられている。また、第一天板３０の第一空間１１側の面の、各保持部４１に対応する位置に、それぞれ被保持部４２の基部４２ａが取り付けられている。このため、前板２６に保持部４１が取り付けられる保持部材４０は、前板２６に対して直接的に第一天板３０を着脱可能に保持するが、第一板部材２８に保持部４１が取り付けられる保持部材４０は、第一板部材２８を介して、背壁４に対して間接的に第一天板３０を着脱可能に保持する。
【００４４】
保持部材４０は、前板２６及び第一板部材２８のそれぞれに１つ配置されていてもよく、複数配置されていてもよい。また、保持部材４０は、前板２６及び第一板部材２８の如何なる位置に配置されていてもよいが、少なくとも一つの保持部材４０は、左右方向（第一仕切板２２と第一横壁５との対向方向）において、第一仕切板２２と第一横壁５との間の中央位置よりも第一横壁５側に配置されていることが好ましい。
【００４５】
締結部材５０は、第一仕切板２２の外側（第一空間１１とは反対側）から、第一仕切板２２に対して第一天板３０をネジ５４により連結する部材である。
【００４６】
図９及び図１１に示すように、締結部材５０は、例えば、Ｌ字金具５１と、ビス５２と、ナット５３と、ネジ５４と、により構成される。
【００４７】
図１２（ａ）に示すように、Ｌ字金具５１は、金属の板状部材をＬ字状に屈曲した部材である。Ｌ字金具５１は、互いに直角に屈曲した第一板状部５１Ａと第二板状部５１Ｂとを備えている。第一板状部５１Ａには、ビス５２が挿入される第一貫通孔５１Ｃが形成されており、第二板状部５１Ｂには、ネジ５４が挿入される第二貫通孔５１Ｄが形成されている。
【００４８】
図９及び図１１に示すように、ビス５２は、Ｌ字金具５１の第一貫通孔５１Ｃから第一天板３０にねじ込まれることで、Ｌ字金具５１を第一天板３０に固定するための部材である。
【００４９】
ナット５３は、第一仕切板２２に埋め込まれて、ネジ５４がねじ込まれる部材である。
【００５０】
ネジ５４は、Ｌ字金具５１の第二貫通孔５１Ｄから第一仕切板２２に埋め込まれたナット５３にねじ込まれることで、Ｌ字金具５１を第一仕切板２２に締結するための部材である。ネジ５４は、頭部５４Ａと、ネジ部５４Ｂと、を備えており、頭部５４Ａは、指でつまむことが可能となっている。このため、指等で頭部５４Ａを回すことで、Ｌ字金具５１を第一天板３０に連結することができるとともに、当該連結を解除することができる。なお、頭部５４Ａの形状、大きさ等は、特に限定されるものではなく、例えば、頭部５４Ａを指で摘まんで回すことができる形状、ドライバー等の工具を用いて回すことができる形状等とすることができる。
【００５１】
そして、Ｌ字金具５１の第二板状部５１Ｂが、第一仕切板２２の第一空間１１とは反対側に配置されるように、Ｌ字金具５１が、ビス５２によって、第一天板３０の下面に固定されている。また、第一仕切板２２の第一空間１１とは反対側の面の、Ｌ字金具５１の第二貫通孔５１Ｄに対応する位置に、ナット５３が埋め込まれている。そして、第一仕切板２２の外側（第一仕切板２２の第一空間１１とは反対側）において、ネジ５４が第二貫通孔５１Ｄからナット５３にねじ込まれている。
【００５２】
つまり、収納構造１では、第一仕切板２２の第一空間１１とは反対側から、ネジ５４を第二貫通孔５１Ｄに挿入してナット５３にねじ込むことで、第一天板３０に固定されたＬ字金具５１を第一仕切板２２に締結することができる。これにより、第一天板３０が第一仕切板２２に連結される。一方、第一仕切板２２の第一空間１１とは反対側から、ネジ５４を緩めてナット５３から取り外すことで、Ｌ字金具５１と第一仕切板２２との連結を解除することができる。これにより、第一天板３０と第一仕切板２２との連結が解除される。
【００５３】
締結部材５０は、第一仕切板２２に１つのみ配置されていてもよく、複数配置されていてもよい。また、締結部材５０は、第一仕切板２２の如何なる位置に配置されていてもよいが、少なくとも一つの締結部材５０は、前後方向（前板２６と背壁４との対向方向）において、前板２６と背壁４との間の中央位置よりも前板２６側に配置されていることが好ましい。本実施形態では、前板２６と背壁４との間の中央位置よりも前板２６側と、当該中央位置よりも背壁４側とに、それぞれ締結部材５０が配置されている。
【００５４】
以上説明したように、本実施形態に係る収納構造１では、第一天板３０は、締結部材５０により第一仕切板２２に対して連結される。このため、トイレの使用者等の設備８をメンテナンスしない者に対して、第一天板３０は開閉できないとの認識を与えることができるとともに、誤って第一天板３０を開けるのを抑制することができる。そして、締結部材５０は、第一仕切板２２の外側から、第一仕切板２２に対して第一天板３０をネジ５４により連結する。これにより、第一仕切板２２側から第一天板３０の着脱を行うことができるため、第一空間１１の第一横壁５側及び背壁４側に作業スペースを確保できない場合であっても、容易に締結部材５０による連結を解除して第一天板３０を取り外すことができる。これにより、設備８のメンテナンス性を向上することができる。しかも、第一天板３０は、保持部材４０により前板２６に対して着脱可能に保持される。このため、締結部材５０を配置できない場所においても、第一天板３０を保持することができるとともに、締結部材５０による連結を解除した際に第一天板３０を容易に取り外すことができる。
【００５５】
また、保持部材４０が、嵌合により、前板２６に対して第一天板３０を保持するため、前板２６に対して第一天板３０を容易に着脱することができる。
【００５６】
また、第一仕切板２２を挟んで第一空間１１と隣り合う第二空間１２の上側に、第二空間１２を開閉可能に取り付けられた第二天板３１が配置されている。このため、締結部材５０のネジ５４を第二天板３１で隠すことができる。これにより、収納構造１の意匠性を向上させることができる。
【００５７】
また、横板２３の開口蓋２３Ｂを外せば、第二空間１２が、横板２３の横板開口２３Ａ、第三空間１３、及び第一仕切板２２の仕切板開口２２Ａを通って第一空間と連通する。このため、設備８のメンテナンス性が更に向上する。
【００５８】
また、第一天板３０に固定されるＬ字金具５１が、第一仕切板２２の外側において、ネジ５４により第一仕切板２２に締結されるため、容易に締結部材５０による連結及び連結の解除を行うことができる。
【００５９】
ところで、第一天板３０と第二天板３１との高さが揃うと、収納構造１の意匠性が向上するが、第二天板３１の高さは、側板２５、前板２６、及び前扉２７の高さや、これらの間に配置される緩衝部材の厚み等によって変わってくる。そこで、図１２（ｂ）に示すように、Ｌ字金具５１の第二貫通孔５１Ｄを上下方向に長い長孔にし、又は、図１２（ｃ）に示すように、Ｌ字金具５１の第二貫通孔５１Ｄをネジ５４の径より大きな大径孔にし、ネジ５４に対するＬ字金具５１の締結位置を調節可能としてもよい。この場合、ネジ５４に対するＬ字金具５１の締結位置を上下方向に調整することで、第一天板３０の高さを調節することができる。これにより、第一天板３０の天面高さを第二天板３１の天面高さに合わせることができるため、意匠性を向上することができる。しかも、トイレ空間３に設置される設備８は、水を流す際等に気圧変化を生じさせるため、Ｌ字金具５１の締結位置を調節して、第一天板３０と、第一仕切板２２、前板２６、第一板部材２８、及び第二板部材２９との間に隙間を形成することで、当該気圧変化を適切に生じさせることができる。なお、第一天板３０と、第一仕切板２２、前板２６、第一板部材２８、及び第二板部材２９との間にも、バンポン等の緩衝部材を配置してもよい。
【００６０】
同様に、第一天板３０の前端面と第二天板３１の前端面とが揃うと、収納構造１の意匠性が向上する。そこで、Ｌ字金具５１の第二貫通孔５１Ｄを前後方向に長い長孔にし、又は、図１２（ｃ）に示すように、Ｌ字金具５１の第二貫通孔５１Ｄをネジ５４の径より大きな大径孔にし、ネジ５４に対するＬ字金具５１の締結位置を調節可能としてもよい。この場合、ネジ５４に対するＬ字金具５１の締結位置を前後方向に調整することで、第一天板３０の前端面の位置を調節することができる。これにより、第一天板３０の前端面の位置を第二天板３１の前端面の位置に合わせることができるため、意匠性を向上することができる。
【００６１】
また、保持部材４０が第一板部材２８を介して背壁４に対して第一天板３０を着脱可能に保持するため、背壁４に対する保持部材４０の取り付けを容易に行うことができる。
【００６２】
また、保持部材４０の少なくとも一つが、第一仕切板２２と第一横壁５との間の中央位置よりも第一横壁５側に配置されるため、第一天板３０をバランスよく保持することができる。
【００６３】
ところで、収納構造１は背壁４と第一横壁５とに設置されるため、メンテナンスしない者が誤って第一天板３０を開けようとする場合、この者は、背壁４及び第一横壁５から遠い位置において、第一天板３０を持ち上げようとする。本実施形態では、締結部材５０の少なくとも一つが、前板２６と背壁４との間の中央位置よりも前板２６側に配置されるため、この者が誤って第一天板３０を開けようとしても、第一天板３０が開くのを適切に抑制することができる。
【００６４】
［第二実施形態］
次に、第二実施形態について説明する。
【００６５】
第二実施形態は、基本的に第一実施形態と同様であり、保持部材及び締結部材の配置のみ第一実施形態と相違する。このため、以下では、第一実施形態と相違する事項のみを説明し、第一実施形態と同様の事項の説明を省略する。
【００６６】
図１３及び図１４に示すように、第二実施形態に係る収納構造１Ａの保持部材４０は、第一仕切板２２及び第一横壁５に対して第一天板３０を着脱可能に保持する部材である。
【００６７】
保持部４１は、第一仕切板２２の第一空間１１側の面と、第一横壁５に取り付けられた第二板部材２９の第一空間１１側の面とに、それぞれ取り付けられている。また、被保持部４２は、第一天板の第一空間１１側の面の、各保持部４１に対応する位置に、それぞれ取り付けられている。このため、第一仕切板２２に保持部４１が取り付けられる保持部材４０は、第一仕切板２２に対して直接的に第一天板３０を着脱可能に保持するが、第二板部材２９に保持部４１が取り付けられる保持部材４０は、第二板部材２９を介して、第一横壁５に対して間接的に第一天板３０を着脱可能に保持する。
【００６８】
保持部材４０は、第一仕切板２２及び第二板部材２９のそれぞれに１つ配置されていてもよく、複数配置されていてもよい。また、保持部材４０は、第一仕切板２２及び第二板部材２９の如何なる位置に配置されていてもよいが、少なくとも一つの保持部材４０は、前後方向（前板２６と背壁４との対向方向）において、前板２６と背壁４との間の中央位置よりも背壁４側に配置されていることが好ましい。
【００６９】
図１３〜図１５に示すように、第二実施形態に係る収納構造１Ａの締結部材５０は、前板２６の外側（第一空間１１とは反対側）から、前板２６に対して第一天板３０をネジ５４により連結する部材である。
【００７０】
そして、Ｌ字金具５１の第二板状部５１Ｂに形成された第二貫通孔５１Ｄが、前板２６の第一空間１１とは反対側に配置されるように、Ｌ字金具５１が、ビス５２によって、前板２６の第一空間１１側の面に締結されている。また、第一天板３０の下面の、Ｌ字金具５１の第二貫通孔５１Ｄに対応する位置に、ナット５３が埋め込まれている。そして、前板２６の外側（前板２６の第一空間１１とは反対側）において、ネジ５４が第二貫通孔５１Ｄからナット５３にねじ込まれている。
【００７１】
つまり、収納構造１Ａでは、前板２６の第一空間１１とは反対側から、ネジ５４を第二貫通孔５１Ｄに挿入してナット５３にねじ込むことで、Ｌ字金具５１を第一天板３０に締結することができ、これにより、第一天板３０が前板２６に連結される。一方、前板２６の第一空間１１とは反対側から、ネジ５４を緩めてナット５３から取り外すことで、Ｌ字金具５１と第一天板３０との連結を解除することができ、これにより、第一天板３０と前板２６との連結が解除される。
【００７２】
締結部材５０は、前板２６に１つのみ配置されていてもよく、複数配置されていてもよい。また、締結部材５０は、前板２６の如何なる位置に配置されていてもよいが、少なくとも一つの締結部材５０は、左右方向（第一仕切板２２と第一横壁５との対向方向）において、第一仕切板２２と第一横壁５との間の中央位置よりも第一仕切板２２側に配置されていることが好ましい。本実施形態では、第一仕切板２２と第一横壁５との間の中央位置よりも第一仕切板２２側と、当該中央位置よりも第一横壁５側とに、それぞれ締結部材５０が配置されている。
【００７３】
以上説明したように、本実施形態に係る収納構造１Ａでは、保持部材４０が、第一仕切板２２及び第一横壁５に対して第一天板３０を着脱可能に保持し、締結部材５０が、前板２６に対して第一天板３０をネジ５４により連結する。これにより、前板２６側から第一天板３０の着脱を行うことができる。このため、第二空間１２の上側に配置される第二天板３１を開閉することなく、締結部材５０の連結を解除することができる。
【００７４】
また、保持部材４０が第二板部材２９を介して第一横壁５に対して第一天板３０を着脱可能に保持するため、第一横壁５に対する保持部材４０の取り付けを容易に行うことができる。
【００７５】
また、保持部材４０の少なくとも一つが、前板２６と背壁４との間の中央位置よりも背壁４側に配置されるため、第一天板３０をバランスよく保持することができる。
【００７６】
また、締結部材５０の少なくとも一つが、第一仕切板２２と第一横壁５との間の中央位置よりも第一仕切板２２側に配置されるため、メンテナンスしない者が誤って第一天板３０を開けようとしても、第一天板３０が開くのを適切に抑制することができる。
【００７７】
また、前板２６に固定されたＬ字金具５１が、前板２６の外側において、ネジ５４により第一天板３０に締結されるため、容易に締結部材５０による連結及び連結の解除を行うことができる。
【００７８】
また、ネジ５４は、前板２６の前方に配置されるが、第一天板３０の下面に埋め込まれたナット５３にネジ５４をねじ込むため、第一天板３０によりネジ５４を隠すことができる。
【００７９】
以上、本発明の好適な実施形態について説明したが、本発明は上記実施形態に限定されるものではなく、適宜変更することができる。
【００８０】
例えば、上記実施形態では、収納構造がトイレ空間３の背壁４、第一横壁５、第二横壁６、及び床７に設置されるものとして説明したが、収納構造は、少なくとも互いに隣り合う第一壁と第二壁とに設置されるものであれば、如何なる壁に設置されるものであってもよい。
【００８１】
また、上記実施形態では、締結部材５０は、Ｌ字金具５１を用いるものとして説明したが、ネジ５４により前板２６又は第一仕切板２２に対して第一天板３０を連結することができれば、如何なる部材を用いてもよい。
【００８２】
また、第一実施形態では、保持部材４０は、前板２６及び背壁４に対して第一天板３０を着脱可能に保持するものとして説明したが、第二実施形態のように第一仕切板２２及び第一横壁５に対して第一天板３０を着脱可能に保持するものであってもよく、前板２６のみ又は第一仕切板２２のみに対して第一天板３０を着脱可能に保持するものであってもよい。
【００８３】
また、第一実施形態では、保持部材４０は、第一板部材２８を介して背壁４に対して第一天板３０を着脱可能に保持するものとして説明したが、第一板部材２８等を介することなく、背壁４に対して直接的に第一天板３０を着脱可能に保持するものであってもよい。この場合、例えば、保持部材４０の保持部４１を、背壁４に直接的に取り付ければよい。
【００８４】
また、第一実施形態では、Ｌ字金具５１を第一天板３０に固定し、ネジ５４によりＬ字金具５１を第一仕切板２２に締結するものとして説明したが、Ｌ字金具５１を第一仕切板２２に固定し、ネジ５４によりＬ字金具５１を第一天板３０に締結するものであってもよい。
【００８５】
また、第二実施形態では、保持部材４０は、第一仕切板２２及び第一横壁５に対して第一天板３０を着脱可能に保持するものとして説明したが、第一実施形態のように前板２６及び背壁４に対して第一天板３０を着脱可能に保持するものであってもよく、第一仕切板２２のみ又は前板２６のみに対して第一天板３０を着脱可能に保持するものであってもよい。
【００８６】
また、第二実施形態では、保持部材４０は、第二板部材２９を介して第一横壁５に対して第一天板３０を着脱可能に保持するものとして説明したが、第二板部材２９等を介することなく、第一横壁５に対して直接的に第一天板３０を着脱可能に保持するものであってもよい。この場合、例えば、保持部材４０の保持部４１を、第一横壁５に直接的に取り付ければよい。
【００８７】
また、第二実施形態では、Ｌ字金具５１を前板２６に固定し、ネジ５４によりＬ字金具５１を第一天板３０に締結するものとして説明したが、Ｌ字金具５１を第一天板３０に固定し、ネジ５４によりＬ字金具５１を前板２６に締結するものであってもよい。
【符号の説明】
【００８８】
１，１Ａ…収納構造、２…便器、３…トイレ空間、４…背壁（第一壁）、５…第一横壁（第二壁）、６…第二横壁、７…床、８…設備、１１…第一空間、１２…第二空間、１３…第三空間、１４…第四空間、２１…背板、２２…第一仕切板、２２Ａ…仕切板開口、２３…横板、２３Ａ…横板開口、２３Ｂ…開口蓋、２４…第二仕切板、２５…側板、２６…前板、２７…前扉、２８…第一板部材、２９…第二板部材、３０…第一天板、３１…第二天板、４０…保持部材、４１…保持部、４１ａ…基部、４１ｂ…板バネ、４１ｃ…ローラ、４２…被保持部、４２ａ…基部、４２ｂ…突出部、４２ｃ…拡幅部、５０…締結部材、５１…Ｌ字金具、５１Ａ…第一板状部、５１Ｂ…第二板状部、５１Ｃ…第一貫通孔、５１Ｄ…第二貫通孔、５２…ビス、５３…ナット、５４…ネジ、５４Ａ…頭部、５４Ｂ…ネジ部。
【図１】
2020049173.tif 000003
【図２】
2020049173.tif 000004
【図３】
2020049173.tif 000005
【図４】
2020049173.tif 000006
【図５】
2020049173.tif 000007
【図６】
2020049173.tif 000008
【図７】
2020049173.tif 000009
【図８】
2020049173.tif 000010
【図９】
2020049173.tif 000011
【図１０】
2020049173.tif 000012
【図１１】
2020049173.tif 000013
【図１２】
2020049173.tif 000014
【図１３】
2020049173.tif 000015
【図１４】
2020049173.tif 000016
【図１５】
2020049173.tif 000017